(57)【特許請求の範囲】
【請求項１】
路側に立設された電柱、街路柱又は道路標識柱からなる柱状体に、箱体とその前部開口に開閉自在に取付けられた蓋部とからなる収納容器がバンド金具により取付けられ、該収納容器内に拡張、折り畳み自在な支持体と、表示体と、適宜内容の表示が施された複数個の表示ユニットとが収容され、緊急時に前記収納容器から、支持体と、表示体と、表示ユニットとを取り出し、支持体を拡張すると共に支持体に表示体を支持させ、支持された表示体に緊急時の状況に応じて必要な表示ユニットを着脱自在に取り付けて、緊急時の状況に応じた内容の緊急標識として設置し、不要になれば折り畳んで収納容器に収納するものであることを特徴とする緊急用組立標識。
【請求項２】
表示体に、表示ユニットが面フアスナーにより着脱自在に取り付けられるようになされた請求項１記載の緊急用組立標識。
【請求項３】
表示体に、表示ユニットがマグネットにより着脱自在に取り付けられるようになされた請求項１記載の緊急用組立標識。
【請求項４】
表示体に多数の取付孔が設けられると共に表示ユニットの裏面に係止足部が突出され、この係止足部を前記取付孔にはめ込むことにより、表示体に、表示ユニットが着脱自在に取り付けられるようになされた請求項１記載の緊急用組立標識。
【発明の詳細な説明】
【０００１】
【発明の属する技術分野】
本発明は、主として災害時において用いられる緊急用組立標識に関するものである。
【０００２】
【従来の技術】
従来、緊急用組立標識としては実開昭５５−１１０５１５号に記載される如き折り畳み式非常停止標示板が提案されている。これは全体的に三角形に構成される標示板を三角形に組立あるいは折り畳む操作を簡単にすると共に、自動二輪車等の小型車両での携帯を可能とするために、三角形の各辺をほぼ半辺長さの嵩の小さなものにして折り畳むことのできるようにしたものである。
【０００３】
【発明が解決しようとする課題】
しかしながら前記の如き緊急用組立標識は、通常時は車両に搭載しておくものであり、従ってこの標識を搭載した車両でないと設置できず、そしてその表示内容も、事故等の緊急時に、その車両が非常停止していることを表示することのみに限定されたものであり、現場に則して表示内容の変更をするようなものではない。
【０００４】
一方、現場に則して表示内容の変更をすることができるように、予め各種内容の表示を施した緊急標識を数種類用意し、これを倉庫等に保管したり、車両に搭載しておくことにより、かかる緊急事態に対処することも行われている。しかしながら、これらの緊急標識を数種類用意しておくのは面倒であり、またこれらを倉庫等に保管していると、緊急の場合にすぐに設置することができず、倉庫等まで取りに行く時間がかかり、また車両に搭載している場合は、搭載した車両が現場に行かないと設置できず、特に地震等の車両が通行できない場合には当然設置することができなくなる。
【０００５】
そこで本発明は、上記の如き問題点を解消し、緊急の場合にすぐに設置することができ、また現場で表示内容の変更が容易であり、さらに不要になればすぐに収納することのできる緊急用組立標識を提供せんとするものである。
【０００６】
【課題を解決するための手段】
上記目的を達成するために、本発明は次のような構成としている。
すなわちこの発明に係る緊急用組立標識は、路側に立設された電柱、街路柱又は道路標識柱からなる柱状体に、箱体とその前部開口に開閉自在に取付けられた蓋部とからなる収納容器がバンド金具により取付けられ、該収納容器内に拡張、折り畳み自在な支持体と、表示体と、適宜内容の表示が施された複数個の表示ユニットとが収容され、緊急時に前記収納容器から、支持体と、表示体と、表示ユニットとを取り出し、支持体を拡張すると共に支持体に表示体を支持させ、支持された表示体に緊急時の状況に応じて必要な表示ユニットを着脱自在に取り付けて、緊急時の状況に応じた内容の緊急標識として設置し、不要になれば折り畳んで収納容器に収納するものであることを特徴とするものである。
【０００７】
本発明によれば、路側に立設された電柱、街路柱又は道路標識柱からなる柱状体にバンド金具により取付けられた収納容器内に、緊急標識を構成する拡張、折り畳み自在な支持体と、表示体と、適宜表示が施された複数個の表示ユニットとが収容されている。すなわち本発明においては、緊急標識を構成する支持体と表示体と表示ユニットとは、倉庫等に保管したり車両に搭載することなく、路側に立設された電柱、街路柱又は道路標識柱からなる柱状体に取付けられた収納容器内に保管されているので、緊急時には収納容器から取り出してすぐに設置でき、また不要になれば折り畳んで収納容器にすぐに収納することができる。
【０００８】
さらに、収納容器内には適宜内容の表示が施された複数個の表示ユニットとが収容され、この表示ユニットを現場にて表示体に取付けることにより、表示体に表示が施されるようになされているので、緊急時の状況に応じて必要な表示内容の表示ユニットを適宜選択、組合わせて表示体に取り付けることにより、表示内容を現場の状況に則した内容にすることができ、又その表示内容も、表示ユニットを取り外して別の表示内容の表示ユニットに取り替えることにより、現場において容易に変更することができる。
【０００９】
【発明の実施の形態】
次に、本発明の実施の形態について図面を参照し、具体的に説明する。
図１〜４は本発明に係る緊急用組立標識の実施の形態を組立手順と共にそれぞれ示した説明図であり、図５〜７は本発明に係る緊急用組立標識における表示ユニットと表示体との取付構造の実施の形態をそれぞれ示した斜視図である。
【００１０】
図面において、１は路側に立設された電柱、街路柱又は道路標識柱からなる柱状体であり、２は前記柱状体１にバンド金具により取付けられた収納容器であり、この収納容器２は、箱体２１とその前部開口に開閉自在に取付けられた蓋部２２とから構成されている。
【００１１】
３は、拡張、折り畳み自在な支持体であり、４は表示体であり、５は適宜内容の表示が施された複数個の表示ユニットであり、これら支持体３、表示体４及び表示ユニット５は適宜折り畳まれて前記収容容器２内に収容されている。
【００１２】
そして緊急時に、これらにより緊急標識を設置する場合は、収納容器２の蓋部２２を開けて、支持体３と、表示体４と、表示ユニット５とを取り出し、支持体３を拡張すると共に支持体３に表示体４を支持させ、緊急時の状況に応じて必要な表示内容の表示ユニット５を適宜選択、組合わせて表示体４に取り付けることにより、表示内容を現場の状況に則した内容として設置することができる。
【００１３】
前記支持体３は、拡張、折り畳み自在であり、収納容器２に収納可能であれば、特にその構造、形状は限定されるものではなく、又表示体４も収納容器２に収納可能であって、前記支持体３に支持されるものであれば、特にその形状、材質等は限定されるものではない。また通常頻繁に用いられる表示表示ユニット５を予め表示体４に取り付けた状態で、収納容器２に収納されていてもよく、そして表示内容を変更する必要があれば、設置の際に、前記表示ユニット５を取り外して、適宜内容の表示ユニット５に取り替えるようにしてもよい。
【００１４】
次に本発明に係る緊急用組立標識の各種の例を示すが、本発明はこれらに限定されるものではない。まず図１においては、支持体３は４本の支持脚３１とそれらの支持脚３１を拡開、折り畳み可能に連結する連結杆３２とから構成され、表示体４は可撓性のシート状物からなっている。そして緊急時においては、柱状体１に取付けられた収納容器２より、支持体３、表示体４、表示ユニット５とを取り出し、支持体３を拡開し、この拡開した４本の支持脚３１の周囲に表示体４を四角形状に巻いて支持させ、この四角形状の四面にそれぞれ表示ユニット５を取り付けることにより、４方向に表示がなされて交差点等に設置されるようになされている。
【００１５】
また図２においては、収納容器２の蓋部２２が取り外し可能となされ、その蓋部２２を底にして、可撓性のシート状物からなる表示体４の下端が蓋部２２に取付けられ、同じく蓋部２２に取付けられたグラスフアイバー等の撓み可能な棒状の２本の支持体３を立ち上げて表示体４の上端に取り付けることにより、表示体４がぴんと張られた状態で前記支持体３に支持され、この表示体４の前面に表示ユニット５を取り付けることにより、１方向のみに表示がなされるようになされている。
【００１６】
さらに図３においては、支持体３は２本の支持柱３３とそれらの支持柱３３を拡開、折り畳み可能に連結する連結杆３２と、前記支持柱３３を自立させる足部３４とから構成され、可撓性のシート状物又は板状体からなる表示体４の左右端を前記拡開した２本の支持柱３３間に取付けることにより、表示体４が支持体３に支持され、その表示体４の片面又は両面に表示ユニット５を取り付けることにより、１方向又は表裏２方向に表示がなされるようになされている  。
【００１７】
さらに図４においては、支持体３は内側に凹溝３５が設けられた２本の支持柱３３とそれらの支持柱３３を支持するための拡開、折り畳み可能な足部３４が左右に連結されたスタンド部３６とから構成され、また表示体４は折り畳み可能な板状体から構成され、この表示体４を拡開し、その左右端を２本の支持柱３３の凹溝３５間に落とし込んで取付けることにより、表示体４が支持体３に支持され、その表示体４の片面又は両面に表示ユニット５を取り付けること  により、１方向又は表裏２方向に表示がなされるようになされている。
【００１８】
なお表示ユニット５を表示体４に着脱自在に取り付けるための取付構造は、着脱自在に取り付けることができる構造であれば特に限定されるものではなく、例えば、図５の如く表示体４の表面及び表示ユニット５の裏面に互いに係合する係止部６１と係合部６２とからなる面フアスナー６を取付け、この係止部６１と係合部６２とを係合させることにより、表示ユニット５を表示体４に取付けるようにしてもよい。かようにすれば、表示ユニット５が容易に取り外せるだけでなく、表示体４の材質は特に限定されない。
【００１９】
また図６の如く、マグネットにより、表示ユニット５が表示体４に着脱自在に取付けられるようになされていてもよい。例えば、表示体４を金属板より形成し、表示ユニット５をマグネットから形成したり、表示ユニット５の裏面にマグネットを貼着する等して、表示ユニット５の裏面がマグネット７となされていてもよいし、表示体４をマグネットとし、表示ユニット５を金属板より形成してもよい。
【００２０】
また図７の如く、表示体４に多数の取付孔４１を設けると共に表示ユニット５の裏面に係止足部５１を突出し、この係止足部５１を前記取付孔４１にはめ込むことにより、表示体４に、表示ユニット５が取り付けられるようになされていてもよい。
【００２１】
【発明の効果】
本発明によれば、路側に立設された電柱、街路柱又は道路標識柱からなる柱状体にバンド金具により取付けられた収納容器内に、緊急標識を構成する拡張、折り畳み自在な支持体と、表示体と、適宜表示が施された複数個の表示ユニットとが収容されている。すなわち本発明においては、緊急標識を構成する支持体と表示体と表示ユニットとは、倉庫等に保管したり車両に搭載することなく、路側に立設された電柱、街路柱又は道路標識柱からなる柱状体にバンド金具により取付けられた収納容器内に保管されているので、緊急時には収納容器から取り出してすぐに設置でき、また不要になれば折り畳んで収納容器にすぐに収納することができる。
【００２２】
さらに、収納容器内には適宜内容の表示が施された複数個の表示ユニットとが収容され、この表示ユニットを現場にて表示体に取付けることにより、表示体に表示が施されるようになされているので、緊急時の状況に応じて必要な表示内容の表示ユニットを適宜選択、組合わせて表示体に取り付けることにより、表示内容を現場の状況に則した内容にすることができ、又その表示内容も、表示ユニットを取り外して別の表示内容の表示ユニットに取り替えることにより、現場において容易に変更することができる。
【図面の簡単な説明】
【図１】  本発明に係る緊急用組立標識の実施の一形態を組立手順と共に示した説明図である。
【図２】  本発明に係る緊急用組立標識の実施の他の形態を組立手順と共に示した説明図である。
【図３】  本発明に係る緊急用組立標識の実施のさらに他の形態を組立手順と共に示した説明図である。
【図４】  本発明に係る緊急用組立標識の実施のさらに他の形態を組立手順と共に示した説明図である。
【図５】  本発明に係る緊急用組立標識における表示ユニットと表示体との取付構造の実施の一形態を示した斜視図である。
【図６】  本発明に係る緊急用組立標識における表示ユニットと表示体との取付構造の実施の他の形態を示した斜視図である。
【図７】  本発明に係る緊急用組立標識における表示ユニットと表示体との取付構造の実施のさらに他の形態を示した斜視図である。
【符号の説明】
１    柱状体
２    収納容器
２１  箱体
２２  蓋部
３    支持体
３１  支持脚
３２  連結杆
３３  支持柱
３４  足部
３５  凹溝
３６  スタンド部
４    表示体
４１  取付孔
５    表示ユニット
５１  係止足部
６    面フアスナー
６１  係止部
６２  係合部
７    マグネット
【図１】
0003712860.tif 000002
【図２】
0003712860.tif 000003
【図３】
0003712860.tif 000004
【図４】
0003712860.tif 000005
【図５】
0003712860.tif 000006
【図６】
0003712860.tif 000007
【図７】
0003712860.tif 000008